(57)【要約】  本技術は、サービング基地局と１以上の非サービング基地局とによって受信される情報を移動無線端末が送信時間間隔（ＴＴＩ）で送信するセルラー無線通信システムに適用される。移動端末によりグループとして一緒に送信されるハイブリッド自動再送要求（ＨＡＲＱ）送信の個数Ｎが決定される。ＨＡＲＱ送信は、最初の送信、該最初の送信の１以上の再送、又は両方を含む。１以上の非サービング基地局が移動端末から受信したＨＡＲＱ送信を合成するときに個数Ｎを考慮することが出来るように、１以上の非サービング基地局に通信のためのＨＡＲＱ送信の個数Ｎの表示が直接的又は間接的に提供される。
2011519535.tif 000002
【特許請求の範囲】
【請求項１】
サービング基地局（２０）と１以上の非サービング基地局（２０）とによって受信される情報を移動端末（２２）が送信時間間隔（ＴＴＩ）で送信するセルラー無線通信システム（１０）で用いられる方法であって、
前記移動端末によりグループとして一緒に送信されるハイブリッド自動再送要求（ＨＡＲＱ）送信の個数Ｎを決定するステップであって、Ｎは正整数であり、ＨＡＲＱ送信は、最初の送信、該最初の送信の１以上の再送、又は両方を含む、前記ステップと、
前記１以上の非サービング基地局が前記移動端末から受信したＨＡＲＱ送信を合成するときに個数Ｎを考慮することが出来るように、前記１以上の非サービング基地局に通信のためのＨＡＲＱ送信の個数Ｎを提供するステップと、
を含むことを特徴とする方法。
【請求項２】
前記グループ内のＨＡＲＱ送信の各々は、ＨＡＲＱ処理に関連付けられた同一のデータ転送ブロックに対応することを特徴とする請求項１に記載の方法。
【請求項３】
前記グループ内のＮ個のＨＡＲＱ送信は、１以上のＴＴＩを含むＴＴＩバンドルに対応することを特徴とする請求項１に記載の方法。
【請求項４】
前記方法は前記移動端末において実行されることを特徴とする請求項１に記載の方法。
【請求項５】
前記サービング基地局、前記１以上の非サービング基地局、及び前記移動端末はハンドオーバに関与しており、前記移動端末は、前記サービング基地局に接続された制御部から前記個数Ｎを受信することを特徴とする請求項４に記載の方法。
【請求項６】
前記制御部（２１）は、前記サービング基地局に位置することを特徴とする請求項５に記載の方法。
【請求項７】
前記制御部は、前記サービング基地局と前記１以上の非サービング基地局とに接続する無線ネットワーク制御装置（１８）に位置することを特徴とする請求項５に記載の方法。
【請求項８】
前記方法は前記サービング基地局において実行され、
前記サービング基地局、前記１以上の非サービング基地局、及び前記移動端末は、ハンドオーバに関与しており、
前記サービング基地局は、該サービング基地局と前記１以上の非サービング基地局とに接続する制御部（２１）を介して、前記個数Ｎを前記１以上の非サービング基地局に送信する
ことを特徴とする請求項１に記載の方法。
【請求項９】
前記方法は前記サービング基地局において実行され、
前記サービング基地局、前記１以上の非サービング基地局、及び前記移動端末は、ハンドオーバに関与しており、
前記サービング基地局は、該サービング基地局と前記１以上の非サービング基地局との間のインタフェースを介して、前記個数Ｎを前記１以上の非サービング基地局に送信する
ことを特徴とする請求項１に記載の方法。
【請求項１０】
前記方法は、前記サービング基地局と前記１以上の非サービング基地局とに接続する無線ネットワーク制御装置（１８）において実行されることを特徴とする請求項１に記載の方法。
【請求項１１】
サービング基地局（２０）と１以上の非サービング基地局（２０）とによって受信される情報を移動端末（２２）が送信時間間隔（ＴＴＩ）で送信するセルラー無線通信システム（１０）で用いられる装置であって、
前記移動端末によりグループとして一緒に送信されるハイブリッド自動再送要求（ＨＡＲＱ）送信の個数Ｎを決定し、ここで、Ｎは正整数であり、ＨＡＲＱ送信は、最初の送信、該最初の送信の１以上の再送、又は両方を含み、
前記１以上の非サービング基地局が前記移動端末から受信したＨＡＲＱ送信を合成するときに個数Ｎを考慮することが出来るように、前記１以上の非サービング基地局に通信のためのＨＡＲＱ送信の個数Ｎを提供する
ように構成された回路（２１，３５）を含むことを特徴とする装置。
【請求項１２】
前記グループ内のＨＡＲＱ送信の各々は、ＨＡＲＱ処理に関連付けられた同一のデータ転送ブロックに対応することを特徴とする請求項１１に記載の装置。
【請求項１３】
前記グループ内のＮ個のＨＡＲＱ送信は、１以上のＴＴＩを含むＴＴＩバンドルに対応することを特徴とする請求項１２に記載の装置。
【請求項１４】
前記装置は前記移動端末（２２）内にあることを特徴とする請求項１１に記載の装置。
【請求項１５】
前記サービング基地局、前記１以上の非サービング基地局、及び前記移動端末はハンドオーバに関与しており、前記移動端末は、前記サービング基地局に接続された制御部から前記個数Ｎを受信するように構成されることを特徴とする請求項１４に記載の装置。
【請求項１６】
前記制御部（２１）は、前記サービング基地局に位置することを特徴とする請求項１５に記載の装置。
【請求項１７】
前記制御部は、前記サービング基地局と前記１以上の非サービング基地局とに接続する無線ネットワーク制御装置（１８）に位置することを特徴とする請求項１５に記載の装置。
【請求項１８】
前記装置は前記サービング基地局に位置し、
前記サービング基地局、前記１以上の非サービング基地局、及び前記移動端末は、ハンドオーバに関与しており、
前記サービング基地局は、該サービング基地局と前記１以上の非サービング基地局との間のインタフェースを介して、前記個数Ｎを前記１以上の非サービング基地局に送信するように構成される
ことを特徴とする請求項１１に記載の装置。
【請求項１９】
前記装置は前記サービング基地局に位置し、
前記サービング基地局、前記１以上の非サービング基地局、及び前記移動端末は、ハンドオーバに関与しており、
前記サービング基地局は、該サービング基地局と前記１以上の非サービング基地局とに接続する無線ネットワーク制御装置（１８）を介して、前記個数Ｎを前記１以上の非サービング基地局に送信するように構成される
ことを特徴とする請求項１１に記載の装置。
【請求項２０】
前記装置は、前記サービング基地局と前記１以上の非サービング基地局とに接続する無線ネットワーク制御装置に位置することを特徴とする請求項１１に記載の装置。
【発明の詳細な説明】
【技術分野】
【０００１】
技術分野は無線通信システムに関し、より詳細には、サービング無線基地局及び非サービング無線基地局を含む移動体通信に関する。
【背景技術】
【０００２】
典型的無線通信システムにおいて、移動体通信端末（ユーザ装置ユニット（ＵＥ）とも称する）は、無線アクセスネットワーク（ＲＡＮ）およびインターネットのような他のネットワークを介して通信する。無線アクセスネットワークは、各々が基地局サイトの基地局（ＢＳ）（いくつかのネットワークでは”ノードＢ”と呼ばれる）の無線カバー領域として定義される複数のセル領域に分割された地理的領域をカバーする。
【０００３】
移動無線インタフェース規格の進化は、小さいデータユニット又はパケットがデータ及び送信される当該データを記載するパケットヘッダを通信メディア上で搬送するパケット・アクセス技術に強く集中している。例えば、非特許文献１を参照。
【０００４】
これらのサービスの１つの重要な要件は短いラウンドトリップ時間（ＲＴＴ）（パケットがある装置から他の装置まで横断して戻ってくるのに要する時間）である。図１は、ユーザ装置（ＵＥ）と基地局（ＢＳ）との間のＲＴＴを示している。この要件の理由は、多くの上位層プロトコル及びアプリケーションが遅延に敏感であり得るからである。ユニバーサル移動通信システム（ＵＭＴＳ）標準の進化は、符号化及びインタリーブが実行されるデータ送信継続時間として定義される送信時間間隔（ＴＴＩ）を１０，２０，４０及び８０ｍｓから２ｍｓまで短縮することによってこの要件について言及している。広帯域符号分割多元接続（ＷＣＤＭＡ）の高速アップリンクパケットアクセス（ＨＳＵＰＡ）における送信アップリンク・チャネルであるエンハンスド専用チャネル（Ｅ−ＤＣＨ）において、ＴＴＩは、１個の転送ブロックを含み、当該転送ブロック・サイズはフレキシブルであり、Ｅ−ＤＣＨ転送フォーマット合成識別子（Ｅ−ＴＦＣＩ）によって示される。
【０００５】
一般的には短いＴＴＥは上位層プロトコル及びアプリケーションにとって有益であるが、不利な点が同様に存在する。送信されたデータの信頼性は、情報ビット当たりの受信エネルギーの単調（増加）関数である一方で、情報ビット当たりの受信エネルギーは、送信電力及び送信時間に依存する。２ｍｓのＴＴＩを使用するデータ送信がより高い送信電力を必要とするため、送信電力が制限される状況においては、１０，２０，４０又は８０ｍｓのＴＴＩを使用するデータ送信による送信データはエラーに弱い。その結果、以前のレガシー無線インタフェース（例えば以前のＵＭＴＳリリース）と同じ範囲を確保することは困難である。移動端末は、ネットワーク内でダウンリンク送信する基地局と同等の送信電力を使用することは出来ないため、パケット・データのサービス範囲は特にアップリンク方向において制限される。
【０００６】
範囲の問題に対する１つのアプローチは、パケットがうまく受信される（または、再送の最大数に達する）まで、受信側が送信側にパケットの再送を要求する再送（ＲｅＴｘ）プロトコルを使用することである。図１のＲｅＴｘ（３）の例では、基地局が移動端末からのＲｅＴｘを要求している。更なる改善は、再送プロトコルと、受信機が誤って受信されたパケットを廃棄する代わりにこれらのソフト（軟判定）ビット値をバッファし再送パケットのソフトビット値と合成するソフト合成機能とを合成することである。これは、ハイブリッドＡＲＱ（ＨＡＲＱ）と呼ばれる。ＨＡＲＱ再送は上述の範囲問題の軽減を補助することが出来るが、ＨＡＲＱ再送信の個数はあまり大きくしすぎることは出来ない、さもないと、コストが高い付加的な基地局の受信処理リソースの必要性が増大する。さらに、動作中の多くの割合の移動端末が頻繁なＨＡＲＱ再送信を実行する場合、提供されたパケットサービスのコストが増大し通信のパケット遅延し、後者は特にリアルタイムサービス（例えば音声）に対して望ましくない。
【０００７】
これらの態様を念頭に、”送信時間間隔（ＴＴＩ）バンドル”（別名”自律再送信”）が、ＬＴＥアップリンク（ＵＬ）（本願に引用したものとする非特許文献２を参照）およびＷＣＤＭＡ  ＨＳＵＰＡ（本願に引用したものとする非特許文献３を参照）に関して提案された。各々のＴＴＩバンドルは、単一のＨＡＲＱ処理および単一のデータブロック（例えば単一のパケット）に対応する。移動端末が、Ｎ−１個のＨＡＲＱ送信の次の一つを送信する前の否定ＨＡＲＱ応答（ＮＡＫ）を待つことなく、データブロック／パケットの最初のＨＡＲＱ送信と、（Ｎ−１）個の同一のデータブロック／パケットの連続的ＨＡＲＱ再送とをバンドル（すなわち、全部で”Ｎ個”のＨＡＲＱ送信）するのを許容することにより、ＴＴＩバンドルは、多数のＨＡＲＱ  ＲＴＴによる許容できない遅延をもたらすことなく範囲を改善する。前提となる仮定は、劣悪な範囲の移動端末に対してＨＡＲＱ再送の必要個数が比較的高いと期待されるということであり、最初のＨＡＲＱ送信およびいくつかの個数のＨＡＲＱ再送がいずれにしろＮＡＫされ得る可能性が高いということである。それ故、同一のデータブロック／パケットの他のＨＡＲＱ再送を始める前に最初のＨＡＲＱ送信に対するＨＡＲＱのＡＣＫ／ＮＡＫを待つ強い理由がない。
【０００８】
移動端末がＮ個のＨＡＲＱ送信のＴＴＩバンドルに対する（すなわち、バンドル全体、又はＴＴＩバンドル内の少なくとも１つのＨＡＲＱ送信に対する）肯定ＨＡＲＱ  ＡＣＫを受信しない場合、移動端末は、肯定ＨＡＲＱ  ＡＣＫを受信するか又はＨＡＲＱ再送の最大数に達するまで、更なる（単一またはバンドルされた）ＨＡＲＱ再送を実行し得る。バンドルは移動端末に対する範囲を改善することができるが、ユーザ・スループット、電源消費およびシステム容量に関していくつかの欠点があるため、ＴＴＩバンドルは劣悪な範囲の移動端末に対してのみ使用されるかもしれない。それ故、ＴＴＩバンドルの各々のＨＡＲＱ再送の個数を制御することが望ましい。
【０００９】
しばしば、サービング基地局のセル領域から非サービング基地局によってサービスされる１以上のセルに向かって移動端末が移動すると、サービング基地局からの範囲の悪化を経験する。図２は、サービングセルＡ及び非サービングセルＢと通信している移動無線端末を有するセルラー通信システムを示している。移動端末は、概して隣接する非サービング基地局からのブロードキャスト信号を監視し、最高の信号が受信される非サービング基地局のリストを保管する。ハンドオーバ（ハード又はソフト）は、通常、ある点で、当該リスト内の１以上の非サービング基地局との間で発生する。
【００１０】
ハンドオーバは、ＵＩバンドルに関する問題を提示する。移動接続を有するソフト・ハンドオーバ（又はすぐにハード・ハンドオーバのモバイル接続）に関与する非サービング基地局が、バンドル当たりＮ個のＨＡＲＱ送信を有するＴＴＩバンドルが発生していることに気付くようにされない場合、非サービング基地局は、異なるＨＡＲＱ送信をおそらく適切にソフト合成しないであろう。異なるデータ・セグメントに対応したＨＡＲＱ送信を非サービング基地局が結合しようとするときに、当該非サービング基地局がバッファ破壊により全体の受信パフォーマンスに貢献することができないときマクロ・ダイバーシティー利得を縮減し、結果としてバッファ破壊によって生じる性能劣化が発生する。
【先行技術文献】
【非特許文献】
【００１１】
【非特許文献１】S. Keshav, An Engineering Approach to Computer Networking, Addison-Wesley professional computing series, ISBN 0-201-63442-2
【非特許文献２】3GPP Tdoc R1-081103, "Reply LS on Uplink Coverage for LTE", LS from RAN WG1 to RAN WG2
【非特許文献３】3GPP Tdoc R1-081619, "EUL coverage enhancements"
【発明の概要】
【００１２】
これらの問題に対処する技術は、サービング基地局と１以上の非サービング基地局とによって受信される情報を移動端末が送信時間間隔（ＴＴＩ）で送信するセルラー無線通信システムで用いられ、例えば、サービング基地局、１以上の非サービング基地局、又は移動端末がハンドオーバに関与するときに発生する。移動端末によりグループとして一緒に送信されるハイブリッド自動再送要求（ＨＡＲＱ）送信の個数Ｎが決定される。Ｎは好適には正整数である。ＨＡＲＱ送信は、最初の送信、該最初の送信の１以上の再送、又は両方を含む。１以上の非サービング基地局が移動端末から受信したＨＡＲＱ送信を合成するときに個数Ｎを考慮することが出来るように、１以上の非サービング基地局に通信のためのＨＡＲＱ送信の個数Ｎが直接的又は間接的に提供される。
【００１３】
グループ内のＨＡＲＱ送信の各々は、ＨＡＲＱ処理に関連付けられた同一のデータ転送ブロックに対応する。グループ内のＮ個のＨＡＲＱ送信は、１以上のＴＴＩを含むＴＴＩバンドルに対応する。そのため、ＴＴＩバンドル当たり１つのＨＡＲＱ処理が存在する。非制限の例であるＷＣＤＭＡ  ＨＳＵＰＡタイプのシステムへの実施において、ＴＴＩの各々は１つの（可変であり得る）転送ブロックに対応する。
【００１４】
当該技術は様々な方法で実施され、何れかに制限されるものではない。例えば、当該技術は移動端末において実施される。移動端末は、サービング基地局に接続された制御部から個数Ｎを受信し得る。制御部は、サービング基地局、又はサービング基地局と１以上の非サービング基地局とに接続する無線ネットワーク制御装置に位置し得る。
【００１５】
あるいは、当該技術は、サービング基地局において実施され得る。サービング基地局は、Ｎを決定することができるか受信することができ、サービング基地局および１以上の非サービング基地局に接続する制御部を介して、個数Ｎを１以上の非サービング基地局に送信することができる。他の変形例は、サービング基地局および１以上の非サービング基地局との間のインタフェースを介して個数Ｎを１以上の非サービング基地局に送信する。さらに別の変形例は、無線ネットワーク制御装置において当該技術を実施する。
【００１６】
このように、各々の基地局が、１個のＨＡＲＱ処理に対応する移動端末からのＨＡＲＱ送信の正しい個数ＮをＨＡＲＱ送信の組合せの考慮に入れることができるように、移動接続と関連するＨＡＲＱ送信の個数Ｎは１以上の非サービング基地局（ＮｏｄｅＢ）に提供される。このような方法で、移動接続（またはすぐにハード・ハンドオーバの移動接続）を有するソフト・ハンドオーバに関係する非サービング基地局は、バンドル当たりＮ個のＨＡＲＱ送信を有するＵＩバンドルが発生しているということを知り、異なるＨＡＲＱ送信を適切にソフト合成することが出来る。加えて、バッファ破壊が回避され、非サービング基地局の全体の受信パフォーマンスに貢献するため、ＴＴＩバンドルが使われるときのマクロ・ダイバーシティー利得は完全なままとなる。
【図面の簡単な説明】
【００１７】
【図１】ＵＥと基地局との間のラウンドトリップ時間（ＲＴＴ）、及びＵＥから基地局への再送要求を示す図である。
【図２】サービングセルおよび非サービングセルと通信している移動無線端末を有するセルラー通信システムを示す図である。
【図３】２ミリ秒のＥ−ＤＣＨ  ＴＴＩを示すエンハンスド・アップリンク（ＥＵＬ）のタイミング図である。
【図４Ａ】１ＴＴＩのバンドルサイズであるＵＩバンドルの非限定実施例のタイミング図である。
【図４Ｂ】２ＴＴＩのバンドルサイズであるＵＩバンドルの非限定実施例のタイミング図である。
【図４Ｃ】４ＴＴＩのバンドルサイズであるＵＩバンドルの非限定実施例のタイミング図である。
【図４Ｄ】８ＴＴＩのバンドルサイズであるＵＩバンドルの非限定実施例のタイミング図である。
【図５】非限定実施例であるＷＣＤＭＡ無線通信システムの機能ブロック図である。
【図６】１以上の非サービング基地局にＨＡＲＱ送信の個数を提供するための実施手順を示すフローチャートである。
【図７】方法を実装するための例示的移動端末及び基地局の機能ブロック図である。
【図８Ａ】例示的移動端末のより詳細な機能ブロック図である。
【図８Ｂ】例示的基地局のより詳細な機能ブロック図である。
【発明を実施するための形態】
【００１８】
以下の記述は説明のためのものであり限定するものではない。具体的な詳細、例えば特定のノード、機能エンティティ、技術、プロトコル、標準、その他は、記載の技術の理解のために提供される。当業者は以下で記載される具体的な詳細から離れた他の実施例が実施され得ることは明らかである。他の例において、周知の方法、装置、技術、その他に関する詳細な説明は、不必要な詳細により説明を不明瞭にすることが無いように省略される。個々の機能ブロックは図に示される。当業者は、それらのブロックの機能が、個々のハードウエア回路、適切にプログラムされたマイクロプロセッサまたは汎用コンピュータと連動したソフトウェアプログラムおよびデータの使用、特定用途向け集積回路（ＡＳＩＣ）の使用、および／または１以上のデジタル信号プロセッサ（ＤＳＰ）の使用により実施できることを理解するであろう。
【００１９】
当該技術は、任意のセルラー方式通信に用いられ得る。説明を簡単にするため、移動無線または移動端末の用語が使用され、ユーザ装置（ＵＥ）、ＰＤＡ、携帯電話、ラップトップ、などの任意の種類の無線通信端末／装置を含む。
【００２０】
背景で述べたように、今日の無線通信の多くは高速ハイブリッドＡＲＱ（ＨＡＲＱ）を使用する。移動端末と基地局との間の高速ハイブリッドＡＲＱ（ＨＡＲＱ）は、基地局および移動端末に位置するＨＡＲＱ送信エンティティおよびＨＡＲＱ受信エンティティのセットを含み、これらのエンティティをＨＡＲＱ処理と称する。各ＨＡＲＱ処理は、送信されたデータユニットに関連するデータ・キューまたはバッファに対応する。移動端末と基地局との間のＨＡＲＱは、基地局がエラーを有するデータブロックを一時的に格納し、その後、格納されたデータブロックを再送されたデータブロック（または対応するデータブロックの一部）と合成し、合成結果がエラーフリーであることが期待されるソフト合成を使用する。
【００２１】
図３は、２ミリ秒のＥ−ＤＣＦＩ  ＴＴＩのエンハンスド・アップリンク（ＥＵＬ）通信のためのＨＡＲＱ再送プロトコルを示している。２ミリ秒のＴＴＩに対して、図で異なるシェーディングで示される８個の独立したＨＡＲＱ処理がある。ＨＡＲＱ（再）送信が失敗した場合、次のＨＡＲＱ再送信は８＊２＝１６ミリ秒後に発生し、それは移動端末と基地局との間のラウンドトリップ時間（ＲＴＴ）に対応する。この場合、３個のＨＡＲＱ再送（最初の送信を含まない）は、２＋３＊１６ミリ秒＝５０ミリ秒を要する。いくつかの再送がが必要であることは時々既知、予測可能またはアドバイス可能であり、自律再送信がＥ−ＤＣＨに対して実行され得る。
【００２２】
自律再送信またはＴＴＩバンドルにおいて、移動端末は、同一のデータブロックの次の再送の前にＨＡＲＱ  ＮＡＫを待つこと無く、当該同一のデータブロック（対応するＨＡＲＱ処理を使用するデータブロック）の連続的に正整数Ｎ個のＨＡＲＱ送信を行う。データブロックの非制限の例は、サブフレーム、パケット、転送ブロック、などである。連続的なＨＡＲＱ送信の個数Ｎは、ＴＴＩバンドルサイズである。これらのＨＡＲＱ送信間の遅延が排除されるため、所与の最大遅延に対してより多い個数のＨＡＲＱ送信を実行することが可能であり、その結果、スピーチのような遅延感度が高いサービスに対する範囲が拡張される。挙げられた実施例において、３個の再送が必要であるということを知っている場合、移動端末の送信機は全４個のＨＡＲＱ送信を連続的に１個のバンドル内で実行することが出来、５０ｍｓの代わりに８ｍｓで送信を完了する。この例のＴＴＩバンドルに対してＮ＝４である。
【００２３】
２ｍｓＴＴＩのＥＵＬのバンドルサイズの非制限の例は、それぞれ２，４，８又は１６ミリ秒のＴＴＩに対応するＮ＝１，２，４又は８であり得、最大のバンドルサイズＮ＝８は、１０ｍｓのＴＴＩに比較し非常に良好な範囲を与える。ＴＴＩバンドルサイズＮは、サービング基地局、移動端末またはＲＮＣによって、決定および／または制御され得る。
【００２４】
ＨＡＲＱ  ＲＴＴ及びＨＡＲＱ処理数は、以下の表１に従った非制限の実施例により調整され得る。例示的調整が図４Ａ〜図４Ｄに示される。
【００２５】
【表１】
2011519535.tif 000003
異なるＴＴＩバンドルサイズに対するＨＡＲＱ  ＲＴＴ及びＨＡＲＱ処理数（２ｍｓＴＴＩ）
【００２６】
図４Ａは、バンドルサイズＮ＝１  ＴＴＩ（２ｍｓ）（すなわちバンドル無し）のＴＴＩバンドルに対するタイミング図である。ＴＴＩバンドル再送は最初のバンドル送信の１６ｍｓ後に起こる。図４Ｂは、バンドルサイズＮ＝２  ＴＴＩ（４ｍｓ）のＴＴＩバンドルに対するタイミング図である。ＴＴＩバンドル再送は最初のバンドル送信の３２ｍｓ後に起こる。図４Ｃは、バンドルサイズＮ＝４  ＴＴＩ（８ｍｓ）のＴＴＩバンドルに対するタイミング図である。ＴＴＩバンドル再送は最初のバンドル送信の３２ｍｓ後に起こる。図４Ｄは、バンドルサイズＮ＝８  ＴＴＩ（１６ｍｓ）のＴＴＩバンドルに対するタイミング図である。ＴＴＩバンドル再送は最初のバンドル送信の３２ｍｓ後に起こる。ＨＡＲＱ  ＲＴＴ（１６ｍｓから３２ｍｓまで）の増加は、最初のバンドルの終わりと再送バンドルの始まりとの間の最小時間が少なくともバンドル無しの場合（１６ｍｓ）であることを確実にする。
【００２７】
上述したように、ハンドオーバがＴＴＩバンドルに関して問題を提示する。移動接続（すぐにバードハンドオーバのモバイル接続）を有するソフトハンドオーバに関係する非サービング基地局（図２に示される単純な実施例の基地局Ｂを参照）が、バンドル当たりＮ個のＨＡＲＱ送信を有するＴＴＩバンドルが発生していることに気付くようにされない場合、非サービング基地局は各々のアクティブなＨＡＲＱ処理に対するＨＡＲＱ送信の適切な個数をたぶん適切に合成しない。その結果、バッファ破壊及びマクロ・ダイバーシティー利得の縮減により性能劣化が生じる。ソフトハンドオーバ利得を保持するために、移動接続のハンドオーバに関与する各々の非サービング基地局は、同一のＨＡＲＱ処理に対応する各々のＴＴＩバンドルの移動端末から送信されるＨＡＲＱ送信の適切な個数Ｎを適切に受信し合成しなければならない。したがって、非サービング基地局は、現在使用されているバンドルサイズＮに気付くようにしなければならない。非サービング基地局は、ＲＮＣ（サービング基地局）を介して、又は移動端末からこの情報を受信することができる。バンドルサイズＮは、それが変化するとき、例えば非サービング基地局のみに（例えば、ＭＡＣ層のいくつかの指標を使用して）シグナリングされ、又は、例えば、再送シーケンス番号（ＲＳＮ）フィールドのいくつかの再解釈を使用して、ＨＡＲＱ処理ＩＤがＨＡＲＱ送信毎に共にシグナリングされ得る。
【００２８】
図５は、１以上の非サービング基地局に、ＴＴＩバンドルのＨＡＲＱ送信又は処理の個数Ｎを伝えるためのフローチャートを示している。最初に、移動端末によって送信されるハイブリッド自動再送要求（ＨＡＲＱ）の個数Ｎが決定される（ステップＳ１）。Ｎは、好ましくは正整数である。ＨＡＲＱ送信は、最初の送信、当該最初の送信の１以上の再送、またはその両方を含む。そして、１以上の非サービング基地局が移動端末から受信したＨＡＲＱ送信を合成するときに個数Ｎを考慮することが出来るように、１以上の非サービング基地局に通信のためのＨＡＲＱ送信の個数Ｎが直接的又は間接的に提供される（ステップＳ２）。
【００２９】
当該技術のアプリケーションの一例は、ＵＭＴＳセルラー無線システムである。図６は、ＷＣＤＭＡが参照番号１０によって一般に示される、符号分割多元接続（ＷＣＤＭＡ）で動作するユニバーサル移動通信システム（ＵＭＴＳ）として示される非制限の第３世代（３Ｇ）セルラー無線システムの機能ブロック図である。無線アクセス・ネットワーク（ＲＡＮ）１２は、インターネット、ＰＳＴＮ、ＩＳＤＮなどの１以上の外部ネットワーク１６に接続する１以上のコア・ネットワーク１４に接続する。無線アクセスネットワーク１２は、例えば、互いにシグナリングおよび／またはトラフィックを通信する１以上の無線ネットワーク制御装置（ＲＮＣ）１８を含む。各ＲＮＣ１８は、１以上の基地局（ＢＳ）２０を制御する。各々の基地局２０は、種々のダウンリンク無線チャネル上の、セルと呼ばれる１以上の対応のカバー範囲の無線インタフェースの上で情報を送信する。各々の基地局２０は、当該基地局のセルのまたは近隣のセルの移動無線２２から１以上のアップリンクチャネルを使用して無線インタフェース上でアップリンク通信を受信する。
【００３０】
図７は、図６の方法を実装するための非限定の例示的移動端末及び基地局の機能ブロック図である。基地局２０および移動端末２２は、無線インタフェースを介して電波送信により通信する。無線インタフェースに交差する矢印は、エンハンスド・アップリンク機能を働かせて送信されるデータを搬送するＥ−ＤＣＨチャネル上のＨＳＵＰＡ送信を表し得る。当業者は、他のＥ−ＤＣＨ関連のチャネル（例えばＥ−ＤＰＣＣＨ）も運用中であることを理解する。あるいは、矢印は、ＵＴＲＡＮロングターム・エボリューション（ＬＴＥ）またはいくつかの他のシステムで利用されるアップリンク・チャネルを示し得る。
【００３１】
移動端末２２は、データ・ソース３１からのデータパケット受信のためのデータ・バッファ３２を有するメディアアクセス制御（ＭＡＣ）エンティティ３０を含む。例えば、データ・ソース３１は、基地局２０への送信のためのデータを生成し、または始める／受信する１以上のアプリケーションであり得る。バッファされたパケットは、無線送受信部３４に接続されたＨＡＲＱ制御部３３に通される。ＨＡＲＱ制御部３３は、基地局２０からのダウンリンク送信に用いられ、実行中のＨＡＲＱ処理を使用して送信されるデータに対する再送および他のＨＡＲＱ関連機能を実行する。
【００３２】
基地局２０は、１以上の基地局送受信部２５を使用して、移動端末２２からエア・インタフェース上のチャネル（例えばＥ−ＤＣＨ）上のデータを受信する。基地局ＭＡＣエンティティ３０は、各ＴＴＩのデータが適切に受信されたか否かを判定し、再送信されたＨＡＲＱデータと実行中の同一のＨＡＲＱ処理に対応する以前の受信されたＨＡＲＱデータとのソフト合成する基地局ＨＡＲＱ制御部３３を含む。検出部２８は、ＴＴＩバンドルのＨＡＲＱ送信が正しく受信されたか否かを判定し、正しく受信された場合は、送受信部２５を介して移動端末２２のＨＡＲＱ制御部３３へ送信されるＴＴＩバンドル肯定応答（ＡＣＫ）を生成するＡＣＫ／ＮＡＫ生成部２６に信号を送信する。移動端末のＨＡＲＱ制御部３３は、肯定応答が受信されたデータの再送信を停止する。データが正しく受信されていない場合、検出部は、ＨＡＲＱ処理に対応するデータを再送要求している移動端末２２へ送受信部２５を介してＮＡＫを送信する。１以上のデータバッファ２９は、コア・ネットワーク又は無線ネットワーク制御装置（ＲＮＣ）のような他の無線ネットワークノードに送信する前に、適切に検出されたデータブロックを受信し格納する。
【００３３】
基地局２０が移動端末２０のサービング基地局であり、移動端末が入ろうとしているかまたはハンドオーバ（ソフトまたはハード）中であると仮定する。非限定の実施例において、サービング基地局２０のＴＴＩバンドル制御部２１は、ＴＴＩバンドル内で送信されるＴＴＩの個数Ｎを決定し、ＭＡＣエンティティ３０の送受信部２５を介して（例えばダウンリンク・プロトコル層Ｌ１および／またはＬ２シグナリングと使用して）Ｎまたは何らかのＮの指標を移動端末２２にシグナリングする。この種のシグナリングの非限定の実施例は、ＨＳ−ＳＣＣＨおよびＥ―ＡＧＣＨのような物理レイヤＬ１制御チャネル、または１以上の特別なフィールド上の指標またはＭＡＣ層の値を含み得る。この非限定の実施例において、移動端末２２は、移動のアクティブ・セット又移動接続のハンドオーバにアクティブに関与している全ての非サービング基地局に、アップリンクＬ１および／またはＬ２シグナリングを使用してＮの指標を１以上の非サービング基地局に送信し得る。
【００３４】
他の例示の実施例において、ＲＮＣは、サービング基地局からＮの指標を受信し、ＲＮＣは、非サービング基地局に当該Ｎの指標を送信する。Ｉｕｂ／Ｉｕｒシグナリングが使用され得るが、エア・インタフェースＬ１／Ｌ２シグナリングよりも遅くなり得る。その結果、非サービング基地局がＲＮＣを介してＮの指標を受信するまでの間、性能劣化が発生し得る。他のバリエーションは、サービング基地局が、ノードＢ−ノードＢシグナリングを介して非サービング基地局にＮの指標をシグナリングする。さらに他の非限定の実施例において、移動端末２２のＴＴＩバンドル制御部２２はＮを決定し、アップリンクＬ１および／またはＬ２シグナリングを使用してサービング基地局および非サービング基地局にＮを表示する。
【００３５】
ＵＥから１以上の基地局へのアップリンクＬ１および／またはＬ２シグナリングを介した上述の表示は、例えば、以下のうちの１つを使用し得る：特別に予約されたＥ−ＤＣＨ無線ネットワーク一時識別子（Ｅ−ＲＮＴＩ）またはＨＳ−ＤＳＣＨ無線ネットワーク一時識別子（Ｈ−ＲＮＴＩ）の値、または他の特別な予約フィールド、またはＭＡＣ  Ｌ２、特別に予約されたＥ−ＤＣＨ転送フォーマット合成識別子（Ｅ−ＴＦＣＩ）、再送シーケンス番号（ＲＳＮ）の値、又はチャネル品質指標（ＣＱＩ）値、ＤＰＣＣＨ、Ｅ−ＤＰＣＣＨおよびＨＳ−ＤＰＣＣＨのようなアップリンク物理制御チャネル内の他の特別な予約フィールドまたは値、または、付随するＥ−ＤＰＤＣＨ送信のないＥ−ＤＰＣＣＨ送信またはその逆など、アップリンク物理制御チャネルがの存在／不在を利用したシグナリング。
【００３６】
Ｎが非サービング（そして、おそらくサービング）基地局に示されるとき、移動端末（または他の通信エンティティ）が、例えば、これらの基地局から肯定ＡＣＫを受信するまで（好ましくは再送の合計数に制限を設けて）Ｎの指標を再送し続けることにより指標があらゆる基地局に到達することを確実にしようとすることが有益であり得る。
【００３７】
さらに他の非限定の実施例において、ＲＮＣまたは他のネットワークノードは、サービング基地局および移動端末にこのＴＴＩバンドルサイズを、例えば、レイヤＬ３シグナリングを使用して提供する。例えば、非サービング基地局は、Ｉｕｂおよび／またはＩｕｒインタフェースを介してこの指標を受信できる。頻繁で時間のかかるＬ３シグナリングを回避するために、ＴＴＩバンドルサイズＮは、いくつかの他のパラメータ（例えばユーザのアクティブ・セットの基地局の個数）に、（準）静的に関連付けられる。例えば、ユーザのアクティブ・セットに２以上の基地局がある場合（すなわちユーザがソフトハンドオーバ中）、比較的悪い範囲の状況にあり、ＴＴＩバンドルに利益があるとみなすことが出来る場合、Ｎは２に設定され、そうでなければ、Ｎは１に設定される。
【００３８】
図８Ａおよび図８Ｂは、より詳細な非限定のＨＳＵＰＡ実施例における例示的移動端末（ここではＵＥと称する）、例示的基地局および／またはＲＮＣの機能ブロック図である。ＵＥを示す図８Ａにおいて、Ｅ−ＤＣＨデータ・ソースは、１以上のアプリケーション４０であることを示している。ユーザ装置ユニットのＵＥ  ＭＡＣエンティティ３５は、ＵＥ  ＨＡＲＱ制御部４４、チャネル・フロー・制御部８０、符号化器８２、Ｅ−ＤＣＨチャネル・フォーマット部８４、及び、制御チャネル・フォーマット部８６を含む。チャネル・フロー制御部８０は、Ｅ−ＤＣＨ制御部８８および入来パケットハンドル部９０を含む。入来パケットハンドル部９０は、１以上のデータ・キュー（例えばデータ・キュー４２１〜４２Ｍ）を含み、各々のデータ・キュー４２は異なるデータ・フロー（例えば、複数のアプリケーション４０の異なる１つ）に関連付けられる。Ｅ−ＤＣＨ制御部８８は、データ・キュー４２からのデータの抽出を制御し、ユーザ装置により基地局に提供されたデータに関連するスケジュールに従って、基地局によりユーザ装置へ許可された送信スケジュールに従ってＥ−ＤＣＨチャネル・フォーマット部８４によりＥ−ＤＣＨチャネルをフォーマットする。
【００３９】
符号化器８２は、この種のデータをＵＥ  ＨＡＲＱ制御部４４のＨＡＲＱ処理５３１〜５３Ｍの適当な１つと関連付ける前又は後に、Ｅ−ＤＣＨデータの符号化を実行する。後者は、図８Ａに示される。符号化器８２により実行される符号化動作は、例えば、異なるデータ・キュー４２または異なるＨＡＲＱ処理からのデータの多重化と、ＭＡＣヘッダの追加を含み得る。ＵＥ  ＨＡＲＱ制御部４４のＵＥ  ＨＡＲＱ処理５３１〜５３Ｍは、Ｅ−ＤＣＨに使用される送信時間間隔のＭ個（例えば実施例実施のＭ＝８）に対応する。
【００４０】
更に、図８Ａは、送受信部５３がＥ−ＤＰＤＣＨチャネルだけでなく、例えばＥ−ＤＰＣＣＨ、ＤＰＣＣＨおよびＨＳ−ＤＰＣＣＨのような他のチャネルも送信することを示す。Ｅ−ＤＰＣＣＨのような制御チャネルの内容は、制御チャネル・フォーマット部８６によって準備されフォーマットされる。ユーザ装置ユニットも、概して、無線送信電力の制御のための電力制御部９２を含む。
【００４１】
図８Ｂは、非限定のＨＳＵＰＡ実施例におけるＲＮＣ７０および基地局（ここではノードＢと称する）を更に詳細に示している。ＲＮＣ７０は、非限定の他の変形例に従って１以上の非サービング基地局にサービング基地局を介して受信されるＮの指標を制御する、または非限定の変形例に従って移動接続のＮの値を決定するためのオプションのＴＴＩバンドル制御エンティティ７２を含む制御部７１を含む。ＲＮＣ７０は、この種の通信のためのノードＢインタフェース７５を含む。更に、ＲＮＣ７０は、データベース７３およびコア・ネットワークインタフェース７４を含む。
【００４２】
ノードＢの基地局ＭＡＣエンティティ６４は、基地局ＨＡＲＱ制御部６８、復号化部１０２、リオーダ部１０４、及び、チャネル・フロー制御部１０６を含む。各デコーダ１０２およびリオーダ部１０４は、それぞれのエラー検出部１１２、１１４を有し得る。復号化エラー検出部１１２は符号化アルゴリズムがエラーを検出したか否かについて決定し、アウトオブオーダのエラー検出部１１４は送信時間間隔に対するデータが受信されたか失われたかを決定する。エラー検出部１１２及びエラー検出部１１４の双方は、ＡＣＫ／ＮＡＫ生成部６６がＵＥに適切なフィードバック・メッセージ（例えば、ＡＣＫメッセージ又はＮＡＫメッセージ）を生成できるようにＡＣＫ／ＮＡＫ生成部６６に通知する。このために、ＡＣＫ／ＮＡＫ生成部６６は、基地局送受信部５６に接続されているように示される。原則として、各ＨＡＲＱ処理に対して１つの処理チェーンがあるが、ＨＡＲＱ処理機能はパラレル処理よりむしろシリアル処理として実行し得る。
【００４３】
チャネル・フロー・制御部１０６は、Ｅ−ＤＣＨスケジュール部１２０および入来パケットハンドル部１２２を含む。Ｅ−ＤＣＨスケジュール部１２０は、ＵＥがどの時間間隔を使用するかを決定し許可し、これらの指示をＵＥのＥ−ＤＣＨスケジューラ８８に送信する。入来パケットハンドル部１２２は、複数のデータ・キュー７２１〜７２Ｍ（各々のデータキュー７２は異なるデータフローに対して使用される）を含む。Ｅ−ＤＣＨデータは、入来パケットハンドル部１２２からＲＮＣインタフェース１２４に送信される。
【００４４】
ノードＢ  ＨＡＲＱ制御部６８は、各々の基地局ＨＡＲＱ処理の間のソフト合成動作のための対応するソフト合成バッファ１５０を含む。ＨＡＲＱ制御部６８も、上述の非限定の実施例において、移動接続に対するＴＴＩバンドルのＮ個のＴＴＩの指標を決定するおよび／またはＮの指標を１以上の非サービング基地局に送信するＴＴＩバンドル制御部１５２を含む。
【００４５】
各種の実施形態について図示し説明したが、特許請求の範囲はとの具体例実施例にも限定されない。上述の説明はのいずれも、いかなる特定の要素、ステップ、範囲または機能が特許請求の範囲に本質的に含まれることを意味するとして読み込まれてはならない。特許を受ける内容の範囲は、特許請求の範囲のみにより定義される。法的保護の範囲は、許可された請求項および等価の範囲で詳述される用語により定義される。当業者にとって公知である上述の好ましい実施例の要素に対する全ての構造的・機能的等価物は、明示的に本願明細書に引用したものとして、本願請求項に含まれることを目的とする。さらに、本願請求項に含まれる装置または方法が本発明によって解決される各々の問題にも対処することは必要でない。「〜の手段（means for）」又は「〜のステップ（step for）」の用語が使用されていたとしても、特許請求の範囲は３５ＵＳＣ１１２の第６パラグラフの行使を意図するものではない。さらにまた、実施例、特徴、構成要素、またはステップが特許請求の範囲に詳述されるに関係なく、本明細書の実施例、特徴、構成要素、またはステップが公になることを意図するものではない。
【図１】
2011519535.tif 000004
【図２】
2011519535.tif 000005
【図３】
2011519535.tif 000006
【図４Ａ】
2011519535.tif 000007
【図４Ｂ】
2011519535.tif 000008
【図４Ｃ】
2011519535.tif 000009
【図４Ｄ】
2011519535.tif 000010
【図５】
2011519535.tif 000011
【図６】
2011519535.tif 000012
【図７】
2011519535.tif 000013
【図８Ａ】
2011519535.tif 000014
【図８Ｂ】
2011519535.tif 000015
【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
サービング基地局（２０）と１以上の非サービング基地局（２０）とによって受信される情報を移動端末（２２）が送信時間間隔（ＴＴＩ）で送信するセルラー無線通信システム（１０）で用いられる方法であって、
前記移動端末により２以上のＴＴＩを含むＴＴＩバンドルとして一緒に送信されるハイブリッド自動再送要求（ＨＡＲＱ）送信の個数Ｎを決定するステップであって、Ｎは２以上の正整数であり、ＨＡＲＱ送信は、最初の送信、該最初の送信の１以上の再送、又は両方を含み、前記ＴＴＩバンドル内のＮ個のＨＡＲＱ送信の各々は、同一のＨＡＲＱ処理に関連付けられた同一のデータ転送ブロックに対応する、前記ステップと、
前記１以上の非サービング基地局が前記移動端末から受信したＨＡＲＱ送信を合成するときに個数Ｎを考慮することが出来るように、前記１以上の非サービング基地局に通信のためのＨＡＲＱ送信の個数Ｎを提供するステップと、
を含むことを特徴とする方法。
【請求項２】
前記方法は前記移動端末において実行されることを特徴とする請求項１に記載の方法。
【請求項３】
前記サービング基地局、前記１以上の非サービング基地局、及び前記移動端末はハンドオーバに関与しており、前記移動端末は、前記サービング基地局に接続された制御部から前記個数Ｎを受信することを特徴とする請求項２に記載の方法。
【請求項４】
前記制御部（２１）は、前記サービング基地局に位置することを特徴とする請求項３に記載の方法。
【請求項５】
前記制御部は、前記サービング基地局と前記１以上の非サービング基地局とに接続する無線ネットワーク制御装置（１８）に位置することを特徴とする請求項３に記載の方法。
【請求項６】
前記方法は前記サービング基地局において実行され、
前記サービング基地局、前記１以上の非サービング基地局、及び前記移動端末は、ハンドオーバに関与しており、
前記サービング基地局は、該サービング基地局と前記１以上の非サービング基地局とに接続する制御部（２１）を介して、前記個数Ｎを前記１以上の非サービング基地局に送信する
ことを特徴とする請求項１に記載の方法。
【請求項７】
前記方法は前記サービング基地局において実行され、
前記サービング基地局、前記１以上の非サービング基地局、及び前記移動端末は、ハンドオーバに関与しており、
前記サービング基地局は、該サービング基地局と前記１以上の非サービング基地局との間のインタフェースを介して、前記個数Ｎを前記１以上の非サービング基地局に送信する
ことを特徴とする請求項１に記載の方法。
【請求項８】
前記方法は、前記サービング基地局と前記１以上の非サービング基地局とに接続する無線ネットワーク制御装置（１８）において実行されることを特徴とする請求項１に記載の方法。
【請求項９】
サービング基地局（２０）と１以上の非サービング基地局（２０）とによって受信される情報を移動端末（２２）が送信時間間隔（ＴＴＩ）で送信するセルラー無線通信システム（１０）で用いられる装置であって、
前記移動端末により２以上のＴＴＩを含むＴＴＩバンドルとして一緒に送信されるハイブリッド自動再送要求（ＨＡＲＱ）送信の個数Ｎを決定し、ここで、Ｎは２以上の正整数であり、ＨＡＲＱ送信は、最初の送信、該最初の送信の１以上の再送、又は両方を含み、前記ＴＴＩバンドル内のＮ個のＨＡＲＱ送信の各々は、同一のＨＡＲＱ処理に関連付けられた同一のデータ転送ブロックに対応し、
前記１以上の非サービング基地局が前記移動端末から受信したＨＡＲＱ送信を合成するときに個数Ｎを考慮することが出来るように、前記１以上の非サービング基地局に通信のためのＨＡＲＱ送信の個数Ｎを提供する
ように構成された回路（２１，３５）を含むことを特徴とする装置。
【請求項１０】
前記装置は前記移動端末（２２）内にあることを特徴とする請求項９に記載の装置。
【請求項１１】
前記サービング基地局、前記１以上の非サービング基地局、及び前記移動端末はハンドオーバに関与しており、前記移動端末は、前記サービング基地局に接続された制御部から前記個数Ｎを受信するように構成されることを特徴とする請求項１０に記載の装置。
【請求項１２】
前記制御部（２１）は、前記サービング基地局に位置することを特徴とする請求項１１に記載の装置。
【請求項１３】
前記制御部は、前記サービング基地局と前記１以上の非サービング基地局とに接続する無線ネットワーク制御装置（１８）に位置することを特徴とする請求項１１に記載の装置。
【請求項１４】
前記装置は前記サービング基地局に位置し、
前記サービング基地局、前記１以上の非サービング基地局、及び前記移動端末は、ハンドオーバに関与しており、
前記サービング基地局は、該サービング基地局と前記１以上の非サービング基地局との間のインタフェースを介して、前記個数Ｎを前記１以上の非サービング基地局に送信するように構成される
ことを特徴とする請求項９に記載の装置。
【請求項１５】
前記装置は前記サービング基地局に位置し、
前記サービング基地局、前記１以上の非サービング基地局、及び前記移動端末は、ハンドオーバに関与しており、
前記サービング基地局は、該サービング基地局と前記１以上の非サービング基地局とに接続する無線ネットワーク制御装置（１８）を介して、前記個数Ｎを前記１以上の非サービング基地局に送信するように構成される
ことを特徴とする請求項９に記載の装置。
【請求項１６】
前記装置は、前記サービング基地局と前記１以上の非サービング基地局とに接続する無線ネットワーク制御装置に位置することを特徴とする請求項９に記載の装置。
【国際調査報告】
2011519535.tif 000016
2011519535.tif 000017
2011519535.tif 000018